(57)【要約】【課題】転送回数が制限されたコンテンツをコピーする際のコピー残回数を適正に管理することを目的とする。【解決手段】転送回数が制限されたコンテンツを記憶する記憶部と、前記記憶部が記憶したコンテンツを転送する転送部と、前記転送したコンテンツの転送回数を管理する管理部とを有し、前記管理部は、前記記憶部が記憶したコンテンツを複数の部分コンテンツに分割し、前記分割した部分コンテンツの転送に応じて部分コンテンツ毎に前記転送可能な残回数を管理し、前記転送部は、前記コンテンツを前記部分コンテンツ毎に転送する、情報処理装置が提供される。【選択図】図４
2015230509.tif 000002
【特許請求の範囲】
【請求項１】
転送回数が制限されたコンテンツを記憶する記憶部と、
前記記憶部が記憶したコンテンツを転送する転送部と、
前記転送したコンテンツの転送回数を管理する管理部とを有し、
前記管理部は、
前記記憶部が記憶したコンテンツを複数の部分コンテンツに分割し、前記分割した部分コンテンツの転送に応じて部分コンテンツ毎に前記転送可能な残回数を管理し、
前記転送部は、
前記コンテンツを前記部分コンテンツ毎に転送する、
情報処理装置。
【請求項２】
前記転送部は、前記部分コンテンツ毎の転送可能な残回数に応じて、前記コンテンツのうち未転送の部分コンテンツの転送を再開する、
請求項１に記載の情報処理装置。
【請求項３】
転送回数が制限されたコンテンツを記憶し、
前記記憶したコンテンツを転送し、
前記転送したコンテンツの転送回数を管理する、
処理をコンピュータが実行する情報処理方法であって、
前記管理する処理は、
前記記憶したコンテンツを複数の部分コンテンツに分割し、前記分割した部分コンテンツの転送に応じて部分コンテンツ毎に前記転送可能な残回数を管理する処理を含み、
前記転送する処理は、
前記コンテンツを前記部分コンテンツ毎に転送する処理を含む、
情報処理方法。
【請求項４】
転送回数が制限されたコンテンツを記憶し、
前記記憶したコンテンツを転送し、
前記転送したコンテンツの転送回数を管理する、
処理をコンピュータに実行させるためのプログラムであって、
前記管理する処理は、
前記記憶したコンテンツを複数の部分コンテンツに分割し、前記分割した部分コンテンツの転送に応じて部分コンテンツ毎に前記転送可能な残回数を管理する処理を含み、
前記転送する処理は、
前記コンテンツを前記部分コンテンツ毎に転送する処理を含む、
プログラム。
【発明の詳細な説明】
【技術分野】
【０００１】
情報処理装置、情報処理方法及びプログラムに関する。
【背景技術】
【０００２】
例えば、デジタル放送の録画番組をダビングし、そのコピーを作成する際、ダビング１０方式のように、著作権保護のためにコピー回数を制限する仕組みがある。ダビング１０方式では、デジタル放送番組のような著作物を録画した場合、その本人が自分で利用する場合に関しては１０回までその番組のコピーを可能とする取決めである。
【０００３】
他方、近年のスマートフォン等の機器の普及に伴い、自宅のＨＤＤ（Ｈａｒｄ  Ｄｉｓｋ  Ｄｒｉｖｅ）レコーダ等に録画した番組をスマートフォン等に転送し、宅外において視聴したいというユーザの要求がある。
【０００４】
例えば、ダビング１０方式のような複数回のコピーが可能な方式において、意図されている著作権保護を十分に図りつつ、宅外機器への番組の配信／録画を可能とする番組録画装置が開示されている（例えば、特許文献１参照）。
【先行技術文献】
【特許文献】
【０００５】
【特許文献１】特開２００９−２９５２１３号公報
【発明の概要】
【発明が解決しようとする課題】
【０００６】
しかしながら、特許文献１では、ダビング１０方式におけるコピー可能な残回数（以下、「コピー残回数」という。）を考慮したダビングのキャンセル方法については考慮されていない。番組のダビング処理には、再生に要する時間と同等以上の時間が必要であり、ダビングをキャンセルするときにも時間を要する。加えて、番組のダビングが完了していない状態でダビングをキャンセルした場合であっても、番組のダビングが完了した場合と同様にコピー残回数が１回減らされるという不都合がある。
【０００７】
例えば、再生時間が２時間の映画をスマートフォンに転送するためには、約２時間を要する。このため、映画を全部転送しきれないまま急な外出などで転送を中断する場合が生じ得る。その場合にも、ダビングが完了した場合と同様に映画を１回コピーしたことになり、コピー残回数が１回減らされる場合がある。その後、ダビングが中断された映画の残りの部分をスマートフォンに転送すると、更にコピー残回数が１回減らされ、２回分のコピーが実行されたことになる場合がある。
【０００８】
このように録画番組をスマートフォン等へ転送中にその転送がキャンセルされた場合、ダビング１０方式においてコピー可能な回数を実質的に１０回よりも少ない回数に制限することになるという課題を有していた。
【０００９】
そこで、一つの側面では、転送回数が制限されたコンテンツをコピーする際のコピー残回数を適正に管理することを目的とする。
【課題を解決するための手段】
【００１０】
一つの態様では、
転送回数が制限されたコンテンツを記憶する記憶部と、
前記記憶部が記憶したコンテンツを転送する転送部と、
前記転送したコンテンツの転送回数を管理する管理部とを有し、
前記管理部は、
前記記憶部が記憶したコンテンツを複数の部分コンテンツに分割し、前記分割した部分コンテンツの転送に応じて部分コンテンツ毎に前記転送可能な残回数を管理し、
前記転送部は、
前記コンテンツを前記部分コンテンツ毎に転送する、
情報処理装置が提供される。
【発明の効果】
【００１１】
一つの側面として、転送回数が制限されたコンテンツをコピーする際のコピー残回数を適正に管理することができる。
【図面の簡単な説明】
【００１２】
【図１】一実施形態にかかる録画システムの全体構成例を示した図である。
【図２】ダビング前にコピー情報管理部で管理しているコピー情報の一例である。
【図３】ダビング後にコピー情報管理部で管理しているコピー情報の一例である。
【図４】一実施形態にかかる録画データのダビング処理を示すフローチャートである。
【図５】処理ループ回数ｎが０のときの番組分割後のコピー情報の一例である。
【図６】処理ループ回数ｎが０のときの分割部分コピー後のコピー情報の一例である。
【図７】処理ループ回数ｎが１のときの番組分割後のコピー情報の一例である。
【図８】処理ループ回数ｎが１のときの分割部分コピー後のコピー情報の一例である。
【図９】処理ループ回数ｎが１のときの分割部分結合後のコピー情報の一例である。
【図１０】処理ループ回数ｎが２８のときの分割部分結合後のコピー情報の一例である。
【図１１】処理ループ回数ｎが２９のときの分割部分コピー後のコピー情報の一例である。
【図１２】処理ループ回数ｎが２９のときの分割部分結合後のコピー情報の一例である。
【図１３】一実施形態にかかる分割部分コピー処理（番組録画装置）を示すフローチャートである。
【図１４】一実施形態にかかる分割部分コピー処理（スマートフォン）を示すフローチャートである。
【図１５】分割部分コピー処理における番組録画装置とスマートフォンとの間の通信手順を示す図である。
【図１６】一実施形態にかかる分割部分結合処理（番組録画装置）を示すフローチャートである。
【図１７】一実施形態にかかる分割部分結合処理（スマートフォン）を示すフローチャートである。
【図１８】分割部分結合処理における番組録画装置とスマートフォンとの間の通信手順を示す図である。
【図１９】処理ループ回数ｎが２のときにキャンセル指示がありダビング処理を終了したときのコピー情報の一例である。
【図２０】一実施形態にかかるキャンセルしたダビングの再開処理を示すフローチャートである。
【図２１】一実施形態の変形例にかかる録画システムの全体構成例を示す図である。
【図２２】一実施形態にかかる番組録画装置及びスマートフォンのハードウェア構成例を示す図である。
【発明を実施するための形態】
【００１３】
以下、本発明の実施形態について添付の図面を参照しながら説明する。なお、本明細書及び図面において、実質的に同一の機能構成を有する構成要素については、同一の符号を付することにより重複した説明を省く。
【００１４】
［録画システムの全体構成］
まず、本発明の一実施形態にかかる録画システムについて、図１を参照しながら説明する。図１は、一実施形態にかかる録画システムの全体構成例を示す。
【００１５】
録画システム１は、番組録画装置１０及びスマートフォン２０を有する。番組録画装置１０は、情報処理装置の一例である。情報処理装置の他の例としては、ハードディスク（ＨＤＤ）レコーダ、ブルーレイディスク、タブレット端末、スマートフォン、パーソナルコンピュータ（ＰＣ）、ゲーム機器、音楽再生装置等、映像及び音声の少なくともいずれかを再生可能な装置であればよい。
【００１６】
スマートフォン２０は、情報処理装置の一例である。情報処理装置の他の例としては、タブレット型端末、ゲーム機器、音楽再生装置等、映像及び音声の少なくともいずれかを再生可能な装置であればよい。番組録画装置１０及びスマートフォン２０は、有線又は無線により接続される。番組録画装置１０に接続される情報処理装置は、宅外への持ち運びが可能な外部機器が好ましい。
【００１７】
番組録画装置１０は、リモコン入力処理部１１、テレヒ表示処理部１２、放送受信部１３、番組再生部１４、番組蓄積部１５、コピー情報管理部１６及び録画データ通信部１７を有する。
【００１８】
リモコン入力処理部１１は、ユーザ操作によるリモコン４０への入力を処理し、番組再生部１４及び番組蓄積部１５へユーザ指示情報を伝達する。リモコン４０は、番組録画装置１０に対するユーザ指示情報の入力手段の一例である。
【００１９】
テレヒ表示処理部１２は、番組再生部１４及び番組蓄積部１５から出力された番組をテレビ４１に出力する。テレビ４１は、ユーザによるデジタル放送の視聴や番組録画装置１０からユーザに対する通知等をするための表示手段の一例である。
【００２０】
放送受信部１３は、放送局４２から送信される番組を受信する。放送局４２が送信する番組は著作物であり、転送回数が制限されたコンテンツの一例である。転送回数が制限されるコンテンツには、動画や静止画を含む画像情報及び音声情報の少なくともいずれかが含まれる。
【００２１】
番組再生部１４は、受信した番組や蓄積した番組を再生し、テレビ表示処理部１２へ出力する。番組蓄積部１５は、受信した番組の録画データを蓄積する。番組蓄積部１５は、転送回数が制限されたコンテンツを記憶する記憶部の一例である。
【００２２】
コピー情報管理部１６は、分割された録画データのコピー情報を管理する。録画データの分割部分、すなわち、分割された録画データのそれぞれは、コンテンツから分割された部分コンテンツの一例である。録画データは、少なくとも複数の録画データに分割されて、分割された録画データの単位毎にスマートフォン２０に転送される。コピー情報管理部１６は、転送したコンテンツの転送回数を管理する管理部の一例である。管理部は、コンテンツを複数の部分コンテンツに分割し、分割した部分コンテンツの転送に応じて部分コンテンツ毎に転送可能な残回数（コピー残回数）を管理する。
【００２３】
録画データ通信部１７は、録画データが転送される側の機器（ここでは、スマートフォン２０）との間で録画データやコピー情報等を通信する。録画データ通信部１７は、番組蓄積部１５が蓄積したコンテンツを転送する転送部の一例である。
【００２４】
スマートフォン２０は、録画データ通信部２１、番組蓄積部２２、番組再生部２３、コピー情報管理部２４、ユーザ入力処理部２５、映像表示部２６、音声入出力部２７及び無線部２８を有する。
【００２５】
録画データ通信部２１は、録画データを転送する側の機器（ここでは、番組録画装置１０）との間で録画データやコピー情報等を通信する。番組蓄積部２２は、番組録画装置１０から転送された録画データを蓄積する。
【００２６】
番組再生部２３は、番組蓄積部２２が蓄積する録画データの番組を再生し、映像表示部２６と音声入出力部２７へ出力する。コピー情報管理部２４は、番組録画装置１０から転送された分割部分の録画データのコピー情報を管理する。
【００２７】
ユーザ入力処理部２５は、タッチパネル操作やボタン操作などのユーザ操作によるスマートフォン２０への入力を処理し、番組蓄積部２２及び番組再生部２３へユーザ指示情報を伝達する。
【００２８】
映像表示部２６は、番組蓄積部２２及び番組再生部２３からの画像入力をタッチパネルに表示する。音声入出力部２７は、番組蓄積部２２及び番組再生部２３からの音声入力をスピーカー等に出力し、マイクからの音声入力を処理する。無線部２８は、通話などの電話機能を実現する。
【００２９】
［ダビング（転送）前のコピー情報］
次に、ダビング前にピー情報ＤＢ（データベース）１６ａ、２６ａに記憶されているコピー情報について、図２を参照しながら説明する。図２は、ダビング前にコピー情報ＤＢ１６ａ、２６ａに記憶されたコピー情報の一例を示す。コピー情報ＤＢ１６ａ、２６ａに記憶されたコピー情報は、コピー情報管理部１６、２４により管理される。コピー情報ＤＢ１６ａ、２６ａは、図１に示すように番組録画装置１０及びスマートフォン２０にそれぞれ内蔵された記憶領域を使用してもよいし、番組録画装置１０及びスマートフォン２０該の記憶領域を使用してもよい。図２の上表は、ダビング前に番組録画装置１０のコピー情報管理部１６で管理しているコピー情報の一例であり、図２の下表は、ダビング前にスマートフォン２０のコピー情報管理部２４で管理しているコピー情報の一例である。
【００３０】
コピー情報には、番組ＩＤ１６１，２６１、開始位置情報１６２，２６２、終了位置情報１６３，２６３、再生時間情報１６４，２６４、コピー残回数１６５，２６５、コピー先番組ＩＤ１６６，２６６、中断情報１６７，２６７が含まれる。
【００３１】
番組ＩＤ１６１，２６１は、録画データ（分割された各録画データを含む）を識別するためのＩＤである。開始位置情報１６２，２６２は、録画データの再生開始位置を示す情報である。録画データが分割されていない場合、開始位置情報１６２，２６２には「０分から」が設定される。
【００３２】
終了位置情報１６３，２６３は、録画データの再生終了位置を示す情報である。録画データが分割されていない場合、終了位置情報１６３，２６３には「最後まで」が設定される。
【００３３】
再生時間情報１６４，２６４は、録画データの開始位置から終了位置までの区間の再生に要する時間を示す情報である。コピー残回数１６５，２６５は、録画データの開始位置から終了位置までの区間のダビングが可能な残回数を示す情報である。
【００３４】
コピー先番組ＩＤ１６６，２６６は、スマートフォン２０に転送（コピー）された録画データの番組ＩＤを示す。コピー先番組ＩＤ１６６，２６６は、ダビング処理で必要となる。なお、コピー先番組は、スマートフォン２０に転送された録画データの番組を示す。コピー元番組は、番組録画装置１０からスマートフォン２０に転送される転送対象の録画番組を示す。中断情報１６７，２６７は、転送をキャンセルした番組のダビング処理を再開する際に利用する情報である。
【００３５】
［ダビング後のコピー情報］
次に、ダビング後にコピー情報管理部１６、２４により管理されるコピー情報について、図３を参照しながら説明する。図３は、図２に示すコピー情報の状態から番組ＩＤ１６１が「０１−００１−００」の録画データをスマートフォン２０へダビングした後、コピー情報ＤＢ１６ａ、２６ａに記憶されたコピー情報の例である。図３の上表は、ダビング後に番組録画装置１０のコピー情報管理部１６で管理しているコピー情報の一例であり、図３の下表は、ダビング後にスマートフォン２０のコピー情報管理部２４で管理しているコピー情報の一例である。
【００３６】
図３の上表に示すように、番組録画装置１０内の番組ＩＤ１６１が「０１−００１−００」の録画データをスマートフォン２０へ転送することにより、コピー残回数１６５が９から一減って８となる。スマートフォン２０へ転送された録画データには番組ＩＤ２６１として「９９−００１−００」が付与されている。また、番組ＩＤ２６１が「９９−００１−００」のコピー残回数２６５は、ダビング１０方式に従い０となっている。つまり、ダビング１０方式では、コピーされた番組を更に転送し、コピーされた番組の複製を作ることは禁止されている。
【００３７】
［ダビング処理］
次に、一実施形態にかかる録画データのダビング処理について、図４を参照しながら説明する。図４は、一実施形態にかかる録画データのダビング処理を示すフローチャートである。図４には、番組録画装置１０からスマートフォン２０へ録画データをダビングする際の、番組録画装置１０における処理が示されている。
【００３８】
番組録画装置１０のユーザが、リモコン４０からリモコン入力処理部１１を介して、番組蓄積部１５に蓄積されている録画番組（コピー元番組）の録画データのダビング処理を選択すると、ダビング処理が開始される。
【００３９】
まず、番組録画装置１０のコピー情報管理部１６は、転送対象の録画データのコピー残回数が０よりも大きいかを判定する（ステップＳ１０）。コピー情報管理部１６は、コピー残回数が０と判定した場合（ステップＳ１０でＮＯの場合）、ダビングは不可である旨を番組録画装置１０のテレビ表示処理部１２を介してテレビ４１に表示し、ユーザに通知して本処理を終了する。
【００４０】
一方、コピー残回数が１以上と判定した場合（Ｓ１０でＹＥＳの場合）、処理ループ回数ｎに「０」を設定し（ステップＳ１２）、ステップＳ１４に進む。なお、説明の便宜上、処理ループ回数として設定した数値をｎとする。
【００４１】
例えば、図２の上表に示した番組録画装置１０のコピー情報ＤＢ１６ａに記憶された番組ＩＤ１６１が「０１−００１−００」の録画データのダビングが指示された場合について説明する。この場合、コピー残回数１６５は９なので、コピー情報管理部１６は、ステップＳ１０にてＹＥＳと判定し、処理ループ回数ｎに「０」を設定して処理を続行する。
【００４２】
続いて、コピー情報管理部１６は、ユーザからのキャンセルの指示があるかを判定する（ステップＳ１４）。ユーザがリモコン入力処理部１１を介してダビングのキャンセルを要求している場合、コピー情報管理部１６は、ユーザからのキャンセルの指示があると判定する（Ｓ１４でＹＥＳの場合）。次に、コピー情報管理部１６は、処理ループ回数ｎをダビングが指示された番組ＩＤの中断情報１６７に保存し（ステップＳ１６）、テレビ表示処理部１２は、ダビング処理をキャンセルする旨をテレビ４１の画面に表示し、ユーザに通知して本処理を終了する。
【００４３】
コピー情報管理部１６は、キャンセルの指示はないと判定した場合（Ｓ１４でＮＯの場合）、スマートフォン２０に転送するコピー元番組の録画データの「ｎ分から最後まで」の再生時間が１分よりも長いかを判定する（ステップＳ１８）。再生時間が１分より長い場合（Ｓ１８でＹＥＳの場合）、コピー情報管理部１６は、「ｎ分から最後まで」の録画データを「ｎ分からｎ＋１分まで」の録画データと「ｎ＋１分から最後まで」の録画データに分割する（ステップＳ２０：番組分割処理）。
【００４４】
例えば、図２の番組ＩＤ１６１が「０１−００１−００」の録画データをダビングする場合、再生時間情報１６４により再生時間は３０分であることがわかる。よって、コピー情報管理部１６は、「ｎ分（ここでは０分）から最後まで」の再生時間が１分より長いため、Ｓ１８にてＹＥＳと判定し、「０分から１分まで」と「１分から最後まで」の録画データに分割する。
【００４５】
分割にあたり、コピー情報管理部１６は、分割した各録画データ（「ｎ分からｎ＋１分まで」及び「ｎ＋１分から最後まで」）のコピー情報を作成する。このとき、コピー情報管理部１６は、「ｎ分からｎ＋１分まで」の録画データの番組ＩＤを分割前の「ｎ分から最後まで」の録画データの番組ＩＤと同じ値にする。コピー情報管理部１６は、「ｎ＋１分から最後まで」の録画データの番組ＩＤには新たな番組ＩＤを付与する。また、分割した各録画データ（「ｎ分からｎ＋１分まで」及び「ｎ＋１分から最後まで」）のコピー残回数は、分割前の「ｎ分から最後まで」のコピー残回数と同じ値とする。
【００４６】
図５は、処理ループ回数ｎが０のときに番組分割処理を実行した結果、「０分から最後まで」の録画データを「０分から１分まで」の録画データと「１分から最後まで」の録画データに分割した後のコピー情報の一例である。番組録画装置１０のコピー情報管理部１６は図５の上表のコピー情報を管理し、スマートフォン２０のコピー情報管理部２４は図５の下表のコピー情報を管理する。番組分割処理の実行により、録画データが二つの録画データに分割されている。分割後の「０分から１分まで」の録画データの番組ＩＤ１６１は、分割前の「０分から最後まで」の録画データの番組ＩＤと同じ値「０１−００１−００」に設定されている。一方、分割後の「１分から最後まで」の録画データの番組ＩＤ１６１には、新たな番組ＩＤ１６１として「０１−００１−０１」が付与されている。分割した各録画データ（「０分から１分まで」及び「１分から最後まで」）のコピー残回数は、分割前の「０分から最後まで」のコピー残回数と同じ９に設定されている。
【００４７】
図４に戻り、ステップＳ２０にて番組分割処理が実行された後、録画データ通信部１７、２１は、分割部分コピー処理を行う（ステップＳ２２）。ステップＳ２２の分割部分コピー処理の詳細については後述される。これにより、分割された「０分から１分まで」の録画データがダビング先のスマートフォン２０にコピーされる。
【００４８】
図６は、処理ループ回数ｎが０のときに分割部分コピー処理を実行した結果、分割された「０分から１分まで」の録画データがスマートフォン２０に転送された後のコピー情報の一例である。コピー情報管理部１６は図６の上表のコピー情報を管理し、コピー情報管理部２４は図６の下表のコピー情報を管理する。
【００４９】
スマートフォン２０のコピー情報管理部２４は、分割された「０分から１分まで」の録画データに関するコピー情報を管理する。図６の下表では、「０分から１分まで」の録画データの番組ＩＤ２６１が「９９−００１−００」で示されている。この番組ＩＤ２６１の「９９−００１−００」は、図６の上表のコピー先番組ＩＤ１６６に記憶されている。番組ＩＤ１６１が「０１−００１−００」の録画データはスマートフォン２０に転送されたため、コピー残回数が９から８に減じられている。なお、コピー残回数を減じる処理は、図１３の分割部分コピー処理（ステップＳ２２）にて実行される。
【００５０】
図４に戻り、コピー情報管理部１６は、ステップＳ２４にて、処理ループ回数ｎが０よりも大きいかを判定する。コピー情報管理部１６は、処理ループ回数ｎが０以下と判定した場合（ステップＳ２４でＮＯの場合）、処理ループ回数ｎの値を１増やし（ステップＳ２８）、ステップＳ１４に戻り、キャンセル指示があるかを再度判定する。コピー情報管理部１６は、ステップＳ１４にてキャンセル指示がなく、かつステップＳ１８にてコピー元番組「ｎ分から最後まで」の再生時間が１分より長いと判定した場合、「ｎ分から最後まで」の録画データを「ｎ分からｎ＋１分まで」と「ｎ＋１分から最後まで」の録画データに分割する（ステップＳ２０）。この時点では、「１分から最後まで」の録画データは、「１分から２分まで」と「２分から最後まで」の録画データに分割される。
【００５１】
図７は、処理ループ回数ｎが１のときにステップＳ２０の番組分割処理を実行した結果、「１分から最後まで」の録画データを「１分から２分まで」の録画データと「２分から最後まで」の録画データに分割した後のコピー情報の一例である。コピー情報管理部１６は図７の上表のコピー情報を管理し、コピー情報管理部２４は図７の下表のコピー情報を管理する。図７の上表を見ると、コピー元番組の録画データは、番組ＩＤ１６１が「０１−００１−００」、「０１−００１−０１」、「０１−００１−０２」の録画データに３分割されている。
【００５２】
図４に戻り、ステップＳ２０にて番組分割処理が実行された後、録画データ通信部１７、２１は、分割部分コピー処理を行う（ステップＳ２２）。これにより、分割された「１分から２分まで」の録画データがダビング先のスマートフォン２０にコピーされる。
【００５３】
図８は、処理ループ回数ｎが１のときに分割部分コピー処理を実行した結果、分割された「１分から２分まで」の録画データがスマートフォン２０に転送された後のコピー情報の一例である。コピー情報管理部１６は図８の上表のコピー情報を管理し、コピー情報管理部２４は図８の下表のコピー情報を管理する。
【００５４】
番組ＩＤ１６１が「０１−００１−０１」の録画データはスマートフォン２０に転送されたため、この録画データに関してのコピー残回数は９から８に減じられている。番組ＩＤ１６１が「０１−００１−０１」の録画データは、転送されたスマートフォン２０では、番組ＩＤ２６１に「９９−００１−０１」が付与されている。
【００５５】
図４に戻り、コピー情報管理部１６は、ステップＳ２４にて、処理ループ回数ｎが０よりも大きいかを判定する。コピー情報管理部１６は、処理ループ回数ｎが０以下と判定した場合（ステップＳ２４でＮＯの場合）、処理ループ回数ｎの値を１増やし（ステップＳ２８）、ステップＳ１４に戻り、キャンセル指示があるかを再度判定する。
【００５６】
コピー情報管理部１６が、処理ループ回数ｎが０よりも大きいと判定した場合（ステップＳ２４でＹＥＳの場合）、分割部分結合処理が実行される（ステップＳ２６）。その結果、「０分からｎ分まで」の録画データと「ｎ分からｎ＋１分まで」の録画データが結合され、「０分からｎ＋１分まで」の録画データが作成される。分割部分結合処理の詳細は、後述される。
【００５７】
図９は、処理ループ回数ｎが１のときに分割部分結合処理が実行された結果、「０分から１分まで」と「１分から２分まで」の録画データが結合され、「０分から２分まで」の録画データが作成された後のコピー情報の一例である。コピー情報管理部１６は図９の上表のコピー情報を管理し、コピー情報管理部２４は図９の下表のコピー情報を管理する。
【００５８】
この後、コピー情報管理部１６は、図４のステップ２８にて処理ループ回数ｎの値を１増やして、ステップＳ１４に戻り、キャンセル指示があるかを再度判定し、ＹＥＳの場合にはステップＳ１６を実行後に本処理を終了する。ＮＯの場合にはステップＳ１８〜Ｓ２８の処理が繰り返される。
【００５９】
図１０は、ステップＳ１８〜Ｓ２８の処理が繰り返され、処理ループ回数ｎが２８のときの分割部分結合処理（ステップＳ２６）が実行された後のコピー情報の一例である。すなわち、図１０は、「０分から２８分まで」と「２８分から２９分まで」の録画データが結合され、「０分から２９分まで」の録画データが作成された後のコピー情報の一例である。コピー情報管理部１６は図１０の上表のコピー情報を管理し、コピー情報管理部２４は図１０の下表のコピー情報を管理する。
【００６０】
この後、コピー情報管理部１６は、図４のステップ２８にて処理ループ回数ｎの値を１増やして、ステップＳ１４に戻り、キャンセル指示があるかを再度判定する。このとき、処理ループ回数ｎの値は２９である。よって、コピー情報管理部１６が、ユーザからキャンセル指示がないと判定した場合（ステップＳ１４）、コピー元番組の「ｎ分から最後まで」の再生時間が１分以下であると判定する（ステップＳ１８にてＮＯの場合）。このとき、録画データ通信部１７、２１は、「ｎ分から最後まで」の録画データをスマートフォン２０にコピーするため分割部分コピー処理を行う（ステップＳ３０）。
【００６１】
図１１は、処理ループ回数ｎが２９でかつ「ｎ分から最後まで」の再生時間が１分以下の場合に分割部分コピー処理（ステップＳ３０）が実行された後、すなわち「２９分から最後まで」のコピーが終了した後のコピー情報の一例である。コピー情報管理部１６は図１１の上表のコピー情報を管理し、コピー情報管理部２４は図１１の下表のコピー情報を管理する。転送対象の番組の録画データのすべてがスマートフォン２０にコピーされたため、分割された番組ＩＤ１６１が「０１−００１−００」の録画データ及び番組ＩＤ１６１が「０１−００１−２９」の録画データのコピー残回数１６５はいずれも８となっている。
【００６２】
図４に戻り、ステップＳ３０にて「ｎ分から最後まで」の分割部分コピー処理が実行された後、コピー情報管理部１６は、処理ループ回数ｎが０以下であると判定した場合（ステップＳ３２でＮＯの場合）、ダビング処理を終了する。コピー情報管理部１６は、処理ループ回数ｎが０より大きいと判定した場合（ステップＳ３２でＹＥＳの場合）、分割部分結合処理が実行される（ステップＳ３４）。これにより、「０分からｎ分まで」の録画データと「ｎ分から最後まで」の録画データとから「０分から最後まで」の録画データが作成される。
【００６３】
図１２は、処理ループ回数ｎが２９で０より大きいとき（ステップＳ３２）に行われる分割部分結合処理の実行後（ステップＳ３４）のコピー情報の一例である。つまり、ステップＳ３４にて分割部分結合処理が実行され、「０分から２９分まで」の録画データと「２９分から最後まで」の録画データから「０分から最後まで」の録画データを作成した後のコピー情報の一例である。コピー情報管理部１６は図１２の上表のコピー情報を管理し、コピー情報管理部２４は図１２の下表のコピー情報を管理する。これにより、番組録画装置１０からスマートフォン２０に転送された録画データは、３０分の映像として結合された状態となる。また、これにより、転送対象の番組の録画データの転送が完了する。コピー元番組、つまり、番組ＩＤ１６１が「０１−００１−００」の録画データのコピー残回数１６５は、９から８に減じられている。
【００６４】
図４に戻り、この後、コピー情報管理部１６は、番組ＩＤ１６１が「０１−００１−００」の「０分から最後まで」の録画データのコピー先番組ＩＤを削除し（ステップＳ３６）、本処理を終了する。図３は、図４のダビング処理が終了したときに、番組録画装置１０のコピー情報管理部１６とスマートフォン２０のコピー情報管理部２４とで管理しているコピー情報の一例である。
【００６５】
［分割部分コピー処理］
次に、一実施形態にかかる分割部分コピー処理（図４のステップＳ２２、Ｓ３０）の詳細について、図１３及び図１４を参照しながら説明する。図１３は、一実施形態にかかる番組録画装置１０が実行する分割部分コピー処理を示すフローチャートである。図１４は、一実施形態にかかるスマートフォン２０が実行する分割部分コピー処理を示すフローチャートである。
【００６６】
（番組録画装置における分割部分コピー処理）
まず、図１３を参照しながら、番組録画装置１０が、スマートフォン２０へ録画データをダビングする際の番組録画装置１０における分割部分コピー処理を説明する。番組録画装置１０における分割部分コピー処理では、まず、コピー情報管理部１６が、コピー元番組の分割部分の録画データのコピー残回数を１減らす（ステップＳ５０）。
【００６７】
例えば図５におけるコピー元番組の分割部分「０分から１分まで」の録画データをコピーする場合、コピー情報管理部１６は、番組ＩＤ１６１が「００−００１−００」の録画データのコピー残回数を９から８へ１減らす。
【００６８】
図１３に戻り、次に、録画データ通信部１７は、ダビング先のスマートフォン２０に対して分割部分コピー開始宣言を発行し、分割部分の録画データのコピーの開始を通知する（ステップＳ５２）。このように、本実施形態では、コピー残回数を減らしてから分割された録画データの転送の開始が通知される。これは、録画データの転送処理が完了してからコピー残回数を減らすこととすると、ダビング中に録画データの転送に失敗した場合にコピー残回数が減じられず、途中まで転送された録画データが不正なコピーとなる可能性があるためである。
【００６９】
録画データ通信部１７は、分割部分コピー開始宣言の応答を取得後（ステップＳ５２）、コピー情報送信宣言を発行し、コピー元番組の分割部分の録画データのコピー情報をスマートフォン２０に通知する（ステップＳ５４）。例えば、図５では、番組ＩＤ１６１「００−００１−００」のコピー情報がスマートフォン２０に通知される。
【００７０】
図１３では、次に、録画データ通信部１７は、コピー情報送信宣言の応答を受信し（ステップＳ５４）、録画データ送信宣言を発行して、コピー元番組の分割部分の録画データをスマートフォン２０に転送し、その応答を取得する（ステップＳ５６）。次に、録画データ通信部１７は、コピー元番組の分割部分の録画データのすべてをスマートフォン２０に転送したかを判定する（ステップＳ５８）。録画データ通信部１７は、コピー元番組の分割部分の録画データのすべてをスマートフォン２０に転送するまで、録画データ送信宣言発行とその応答取得を繰り返す（ステップＳ５６、Ｓ５８）。録画データ通信部１７は、分割部分の全録画データの送信が終了した場合、録画データ終了宣言をスマートフォン２０へ発行し、その応答を取得する（ステップＳ６０）。
【００７１】
続いて、録画データ通信部１７は、コピー先番組ＩＤ要求を発行する（ステップＳ６２）。録画データ通信部１７がスマートフォン２０からの応答としてコピー先番組ＩＤを取得すると（ステップＳ６２）、コピー情報管理部１６は、取得したコピー先番組ＩＤをコピー元番組の分割部分の録画データのコピー先番組ＩＤ１６６に設定する（ステップＳ６４）。
【００７２】
例えば、図６では、番組ＩＤ１６１「００−００１−００」のコピー先番組ＩＤ１６６に、コピー先番組ＩＤ要求の応答としてスマートフォン２０から取得した値「９９−００１−００」が設定されている。
【００７３】
図１３では、続いて、分割部分コピー終了宣言を発行し、その応答を取得して（ステップＳ６６）、本処理を了する。
【００７４】
（スマートフォンにおける分割部分コピー処理）
次に、図１４を参照しながら、スマートフォン２０における分割部分コピー処理について説明する。スマートフォン２０の録画データ通信部２１は、分割部分コピー開始宣言を取得した場合、その応答を発行し、スマートフォン２０での分割部分コピー処理を開始する（ステップＳ７０）。次に、録画データ通信部２１は、コピー情報送信宣言を取得する（ステップＳ７２）。これにより、スマートフォン２０のコピー情報管理部２４は、番組録画装置１０から送られたコピー元番組のコピー情報に基づき、スマートフォン２０にコピーされた分割部分の録画データのコピー情報を生成する（ステップＳ７４）。
【００７５】
具体的には、コピー情報管理部２４は、新たな番組ＩＤを持つエントリを追加し、このエントリの開始位置情報、終了位置情報、再生時間情報にコピー元番組のコピー情報の値を設定する。また、コピー情報管理部２４は、コピー情報のうちコピー残回数には０を設定し、コピー先番組ＩＤ、中断情報には値を設定しない。
【００７６】
コピー情報管理部２４がコピー情報を生成した後、録画データ通信部２１は、コピー情報送信宣言の応答を発行する（ステップＳ７６）。例えば、図６の「０分から１分まで」の録画データをコピーする場合、コピー情報管理部２４は、新たな番組ＩＤ２６１「９９−００１−００」のエントリを追加する。また、コピー情報管理部２４は、番組ＩＤ２６１「９９−００１−００」の開始位置情報２６２、終了位置情報２６３、再生時間情報２６４に、番組録画装置１０から通知された番組ＩＤ１６１が「００−００１−００」の開始位置情報１６２、終了位置情報１６３、再生時間情報１６４の値を設定する。これにより、番組ＩＤ２６１「９９−００１−００」の開始位置情報２６２、終了位置情報２６３、再生時間情報２６４には、それぞれ「０分から」、「１分まで」、「１分」が設定される。また、コピー情報管理部２４は、番組ＩＤ２６１「９９−００１−００」のコピー残回数２６５に０を設定し、コピー先番組ＩＤ２６６、中断情報２６７には値を設定しない。
【００７７】
続いて、録画データ通信部２１は、録画データ送信宣言を取得する（ステップＳ７８）。これにより、番組蓄積部２２は、取得したコピー元番組の分割された録画データを、先ほど作成したコピー情報と関連づけて保存する（ステップＳ８０）。次いで、録画データ通信部２１は、録画データ送信宣言の応答を発行する（ステップＳ８２）。録画データ通信部２１は、録画データ終了宣言を取得したかを判定し（ステップＳ８４）、録画データ終了宣言を取得するまでステップＳ７８〜Ｓ８４の処理を繰り返して実施する。録画データ通信部２１は、録画データ終了宣言を取得した場合は、その応答を発行する（ステップＳ８６）。
【００７８】
続いて、録画データ通信部２１は、コピー先番組ＩＤ要求を取得し、先ほど作成したコピー情報の番組ＩＤ２６１を応答として発行する（ステップＳ８８）。例えば、録画データ通信部２１は、図６の番組ＩＤ２６１「９９−００１−００」を応答として発行する。
【００７９】
続いて、録画データ通信部２１は、分割部分コピー終了宣言を取得し、その応答を取得し（ステップＳ９０）、スマートフォン２０における分割部分コピー処理を終了する。
【００８０】
図１５は、分割部分コピー処理における番組録画装置１０とスマートフォン２０との間の通信手順を示す。番組録画装置１０からスマートフォン２０へ送信するステップに付したステップ番号は、図１３のフローチャートの該当ステップ番号に対応する。同様に、スマートフォン２０から番組録画装置１０へ送信するステップに付したステップ番号は、図１４のフローチャートの該当ステップ番号に対応する。
【００８１】
［分割部分結合処理］
次に、一実施形態にかかる分割部分結合処理（図４のステップＳ２６、Ｓ３４）の詳細について、図１６及び図１７を参照しながら説明する。図１６は、一実施形態にかかる番組録画装置１０が実行する分割部分結合処理を示すフローチャートである。図１７は、一実施形態にかかるスマートフォン２０が実行する分割部分結合処理を示すフローチャートである。
【００８２】
（番組録画装置における分割部分結合処理）
図１６に示す番組録画装置１０における分割部分結合処理では、まず、番組録画装置１０の録画データ通信部１７は、分割部分結合開始宣言を発行し、ダビング先のスマートフォン２０に対して分割部分結合処理の開始を通知する（ステップＳ１００）。録画データ通信部１７は、分割部分結合開始宣言の応答を取得後（ステップＳ１００）、結合前番組ＩＤ通知を発行し、スマートフォン２０に対して結合すべき分割された録画データの番組ＩＤを通知する（ステップＳ１０２）。このとき、録画データ通信部１７は、スマートフォン２０に通知する分割された録画データの番組ＩＤとして、コピー情報ＤＢ１６ａに保存されているコピー先番組ＩＤ１６６の情報を通知する。例えば、図８の「０分から１分まで」の録画データと「１分から２分まで」の録画データとを結合する場合、録画データ通信部１７は、結合前番組ＩＤ通知を発行する。これにより、結合前のコピー先番組ＩＤ１６６「９９−００１−００」、「９９−００１−０１」がスマートフォンに通知される。
【００８３】
録画データ通信部１７が結合前番組ＩＤ通知の応答を受信後（ステップＳ１０２）、コピー情報管理部１６は、番組録画装置１０の番組蓄積部１５に蓄積されている、該当する分割部分の録画データを結合する（ステップＳ１０４）。例えば、図８では、番組蓄積部１５に蓄積されている番組ＩＤ１６１「００−００１−００」の録画データと番組ＩＤ１６１「００−００１−０１」の録画データを結合して「０分から２分まで」の録画データが作成される。
【００８４】
続いて、コピー情報管理部１６は、コピー情報ＤＢ１６ａに保存されている分割された録画データのコピー情報を結合する（ステップＳ１０６）。例えば、図８では、コピー情報管理部１６は、番組ＩＤ１６１「００−００１−００」のコピー情報と番組ＩＤ１６１「００−００１−０１」のコピー情報を結合して「０分から２分まで」のコピー情報を作成する。具体的には、コピー情報管理部１６は、「００−００１−００」の終了位置情報１６３として、「００−００１−０１」の終了位置情報１６３の値（「２分まで」）を設定する。また、コピー情報管理部１６は、「００−００１−００」の再生時間情報１６４と番組ＩＤ１６１「００−００１−０１」の再生時間情報１６４を合計した値を、「００−００１−００」の新しい再生時間情報１６４の値として設定する。また、コピー情報管理部１６は、番組ＩＤ１６１「００−００１−０１」のエントリを削除する。
【００８５】
続いて、録画データ通信部１７は、結合後番組ＩＤ要求を発行する（ステップＳ１０８）。録画データ通信部１７は、スマートフォン２０から応答として結合後番組ＩＤを取得する（ステップＳ１０８）。コピー情報管理部１６は、取得した番組ＩＤをコピー情報ＤＢ１６ａに保存されている結合後の録画データのコピー情報のコピー先番組ＩＤ１６６に設定する（ステップＳ１１０）。例えば、図８には、結合後番組ＩＤ要求の応答としてスマートフォン２０から取得した値「９９−００１−００」が、番組ＩＤ１６１「００−００１−００」のコピー先番組ＩＤ１６６に設定されている。
【００８６】
続いて、録画データ通信部１７は、分割部分結合終了宣言を発行し、その応答を取得して（ステップＳ１１２）、本処理を終了する。
【００８７】
（スマートフォンにおける分割部分結合処理）
図１７に示すスマートフォン２０における分割部分結合処理では、まず、スマートフォン２０の録画データ通信部２１は、分割部分結合開始宣言を取得し、その応答を発行し（ステップＳ１２０）、スマートフォン２０での分割部分結合処理を開始する。
【００８８】
続いて、録画データ通信部２１は、結合前番組ＩＤ通知を取得する（ステップＳ１２２）。これにより、コピー情報管理部２４は、通知された番組ＩＤの録画データを結合する（ステップＳ１２４）。例えば、図８では、分割された「０分から１分まで」の録画データと「１分から２分まで」の録画データとを結合する場合、結合前番組ＩＤが「９９−００１−００」と「９９−００１−０１」が通知される。これにより、コピー情報管理部２４は、番組ＩＤ１６１が「９９−００１−００」と「９９−００１−０１」の録画データを結合して、「０分から２分まで」の録画データを作成する。
【００８９】
続いて、コピー情報管理部２４は、コピー情報ＤＢ２６ａにて管理している番組ＩＤ２６１のコピー情報を結合する（ステップＳ１２６）。例えば、図８では、コピー情報管理部２４は、番組ＩＤ２６１「９９−００１−００」のコピー情報と番組ＩＤ２６１「９９−００１−０１」のコピー情報を結合して「０分から２分まで」の録画データのコピー情報を作成する。具体的には、コピー情報管理部２４は、番組ＩＤ２６１「９９−００１−００」の終了位置情報２６３として、番組ＩＤ２６１「９９−００１−０１」の終了位置情報２６３の値（「２分まで」）を設定する。また、コピー情報管理部２４は、番組ＩＤ２６１「９９−００１−００」の再生時間情報２６４と番組ＩＤ２６１「９９−００１−０１」の再生時間情報２６４を合計した値（２分）を、番組ＩＤ２６１「９９−００１−００」の新しい再生時間情報２６４の値として設定する。そして、コピー情報管理部２４は、番組ＩＤ２６１「９９−００１−０１」のエントリを削除する。
【００９０】
図１７に戻り、続いて、録画データ通信部２１は、結合前番組ＩＤ通知の応答を発行する（ステップＳ１２８）。続いて、録画データ通信部２１は、結合後番組ＩＤ要求を取得し、結合した録画データの番組ＩＤを応答として発行する（ステップＳ１３０）。例えば、図８では、番組ＩＤ２６１「９９−００１−００」を応答として発行する。
【００９１】
続いて、録画データ通信部２１は、分割部分結合終了宣言を取得し、その応答を発行し（ステップＳ１３２）、スマートフォン２０における分割部分結合処理を終了する。
【００９２】
図１８は、分割部分結合処理における番組録画装置１０とスマートフォン２０との間の通信手順を示す。番組録画装置１０からスマートフォン２０へ送信するステップに付したステップ番号は、図１６のフローチャートの該当ステップ番号に対応する。同様に、スマートフォン２０から番組録画装置１０へ送信するステップに付したステップ番号は、図１７のフローチャートの該当ステップ番号に対応する。
【００９３】
以上に説明したように、番組録画装置１０は、録画データを０分〜１分、１分〜２分、・・・、ｎ−１分〜ｎ分と１分毎に分割し、分割された１分毎の録画データをスマートフォン２０に送信する。そして、番組録画装置１０は、スマートフォン２０から分割された録画データの受信処理が正常に行われたことの応答を受け取った場合、送信した録画データのコピー残回数を分割された録画データ毎に一減らす。つまり、コピー残回数は、分割部分の録画データの転送に応じて録画データ毎に管理される。これにより、転送回数が制限された録画データを分割してコピーする際のコピー残回数を適正に管理することができる。
【００９４】
番組録画装置１０では、転送済みのｎ分間の１分毎の録画データが増えていくため、転送済みの録画データは順次結合される。これにより、コピー情報ＤＢ１６ａに保存されるコピー情報は、コピー残回数が減った転送済みの録画データとコピー残回数が減っていない未転送の録画データとの二つになるように管理される。このように管理する理由は、スマートフォン２０側への送信異常や番組録画装置１０側のリセット、ユーザから指示される転送キャンセル等に例示されるイベントやトラブルが発生したときの管理を容易にするためである。つまり、本実施形態にかかる分割部分結合処理によれば、コピー元番組の転送済みの録画データ及び未転送の録画データのそれぞれでコピー残回数が管理され、かつ、コピー先のスマートフォン２０側の録画データの転送状態と一致させることができる。このため、トラブル等が発生したときの番組録画装置１０及びスマートフォン２０における管理を容易することができる。
【００９５】
なお、スマートフォン２０側で分割された録画データの結合処理を完了した後、番組録画装置１０側で分割された録画データの結合処理を行うほうが、トラブルが発生したときの復旧を容易にするため好ましい。
【００９６】
［キャンセルしたダビングの再開処理］
次に、一実施形態にかかる録画システム１において、キャンセルしたダビングの再開処理について、図１９及び図２０を参照しながら説明する。図１９は、ダビング処理中であって処理ループ回数ｎが２のときにキャンセル指示があり、図４に示すダビング処理を終了したときのコピー情報の一例を示す。図１９では、番組ＩＤ「０１−００１−００」の中断情報として、２が設定されている。図２０は、一実施形態にかかるキャンセルしたダビングの再開処理を示すフローチャートである。
【００９７】
ここでは、スマートフォン２０をコピー先とするダビング処理中にキャンセルした転送処理を再開する場合の例について、図２０を参照しながら説明する。番組録画装置１０のユーザが、リモコン４０から番組録画装置１０のリモコン入力処理部１１を介して、キャンセルしたダビングの再開を指示すると、本フローチャートの処理が開始される。
【００９８】
まず、コピー情報管理部１６は、ダビングを再開するコピー元番組のコピー情報の中断情報１６７の値を、処理ループ回数ｎに設定し（ステップＳ２１０）、コピー元番組のコピー情報の中断情報の値を削除する（ステップＳ２１２）。例えば、図１９では、コピー情報管理部１６は、番組ＩＤ１６１「０１−００１−００」のダビングの再開が指示された場合、番組ＩＤ１６１が「０１−００１−００」の中断情報の値「２」をｎに設定する。そそして、コピー情報管理部１６は、番組ＩＤ１６１「０１−００１−００」の中断情報の値を削除する。
【００９９】
以降の処理は、図４のダビング処理にて説明したステップＳ１４〜Ｓ３６の処理と同一であるため、ここでは説明を省略する。これによれば、キャンセルしたダビング処理を、コピー残回数を不当に減らすことなく再開することが出来る。
【０１００】
以上に説明したように、本実施形態にかかる録画システム１によれば、番組の録画データをダビングする際、番組録画装置１０内のコピー元番組を複数の単位に分割し、該分割単位で録画データをスマートフォン２０へ順次ダビングする。この際、ユーザのキャンセル指示があった場合に、番組録画装置１０はダビング処理を停止するが、分割した録画データのコピー状況に応じて、分割された録画データ毎にコピー残回数が管理される。これにより、分割された録画データのうち、既に転送された録画データの部分と転送されていない録画データの部分を分けてそれぞれのコピー残回数を管理することができる。
【０１０１】
これにより、ダビング再開時、番組録画装置１０内のコピー元番組のコピー残回数が不当に減じられることなく、コピー残回数を保持した状態で中断したコンテンツの転送を再開することができる。また、本実施形態では、転送が中断された番組のダビングを初めからやり直す必要がないため、最初録画番組のダビングを中断し、その後再開する際の転送時間を短くすることが可能である。これにより、宅外でスマートフォン２０等を利用して録画番組を視聴する際のユーザの利便性を高めることができる。
＜変形例＞
本発明の一実施形態の変形例にかかる録画システム１について、図２１を参照しながら説明する。図２１は、一実施形態の変形例にかかる録画システム１の全体構成図である。変形例にかかる録画システム１では、番組録画装置１０内に上記実施形態のスマートフォン２０の機能が集約され、番組録画装置１内の一の記憶媒体から他の記憶媒体へ番組の録画データが転送される。
【０１０２】
変形例にかかる番組録画装置１０では、リモコン入力処理部１１、テレヒ表示処理部１２、放送受信部１３、番組再生部１４、コピー情報管理部１６、音声入出力部２７、第１番組蓄積部３０、録画データ転送部３２及び第２番組蓄積部３４を有する。
【０１０３】
第１番組蓄積部３０と第２番組蓄積部３４とは別体で構成された不揮発性の記憶媒体である。録画データ転送部３２は、第１番組蓄積部３０と第２番組蓄積部３４との録画データの転送を行う。
【０１０４】
第１番組蓄積部３０及び第２番組蓄積部３４の一例としては、いずれもＨＤＤであり、一のＨＤＤから他のＨＤＤに録画データを転送することが挙げられる。また、第１番組蓄積部３０及び第２番組蓄積部３４の他の例としては、いずれか一方がＨＤＤであり、他方がＳＤメモリカード（SD Memory card）であって、ＨＤＤからＳＤカード又はＳＤカードからＨＤＤに録画データを転送することが挙げられる。このように、番組録画装置１０は、記憶媒体が別体であり一の記憶媒体から他の記憶媒体へのデータ転送が必要な構成の情報処理装置であってもよい。第１番組蓄積部３０及び第２番組蓄積部３４は、いずれも番組録画装置１０に着脱可能な外付けの記憶媒体でもよいし、番組録画装置１０に内蔵された記憶媒体でもよい。
【０１０５】
（ハードウェア構成例）
最後に、番組録画装置１０及びスマートフォン２０のハードウェア構成例について簡単に説明する。図２２は、本実施形態にかかる番組録画装置１０及びスマートフォン２０のハードウェア構成例を示す図である。以下では、番組録画装置１０のハードウェア構成例について説明することで、同様なハードウェア構成を有するスマートフォン２０のハードウェア構成の説明を省略する。
【０１０６】
番組録画装置１０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、ＨＤＤ（Hard Disk Drive）１０８及び入出力Ｉ／Ｆ１０９を備え、それぞれがバスＢで相互に接続されている。
【０１０７】
入力装置１０１は、リモコンなどを含み、ユーザ操作に応じて番組録画装置１０に情報を入力するのに用いられる。入力装置１０１は、リモコン入力処理部１１に対応する。
【０１０８】
表示装置１０２は、ディスプレイなどを含み、番組録画装置１０に録画番組を表示する。表示装置１０２は、テレヒ表示処理部１２に対応する。
【０１０９】
通信Ｉ／Ｆ１０７は、スマートフォン２０と接続するための通信インタフェースである。通信Ｉ／Ｆ１０７は、録画データ通信部１７に対応する。
【０１１０】
ＨＤＤ１０８は、プログラムやデータを格納している不揮発性の記憶装置である。また、ＨＤＤ１０８は、放送局４２からの放送番組の録画データやコピー情報を蓄積する。また、ＨＤＤ１０８は、上記実施形態のダビング処理やキャンセルしたダビングの再開処理を行うためにＣＰＵ１０６により実行されるプログラムを格納する。
【０１１１】
外部Ｉ／Ｆ１０３は、外部装置とのインタフェースである。外部装置には、記録媒体１０３ａなどがある。番組録画装置は、外部Ｉ／Ｆ１０３を介して、記録媒体１０３ａの読み取り及び／又は書き込みを行うことができる。記録媒体１０３ａには、ＣＤ（Compact Disk）、及びＤＶＤ（Digital Versatile Disk）、ならびに、ＳＤメモリカードやＵＳＢメモリ（Universal Serial Bus memory）等がある。
【０１１２】
ＲＯＭ１０５は、不揮発性の半導体メモリ（記憶装置）であり、起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。ＣＰＵ１０６は、上記記憶装置（例えば「ＨＤＤ」や「ＲＯＭ」など）から、プログラムやデータをＲＡＭ上に読み出し、処理を実行することで、装置全体の制御や搭載機能を実現する演算装置である。番組再生部１４やコピー情報管理部１６の機能は、主にＣＰＵ１０６により実現可能である。
【０１１３】
以上、情報処理装置、情報処理方法及びプログラムを上記実施形態により説明したが、本発明は上記実施形態に限定されるものではなく、本発明の範囲内で種々の変形及び改良が可能である。また、上記実施形態及び変形例が複数存在する場合、矛盾しない範囲で組み合わせることができる。
【０１１４】
例えばコピー情報のうちのコピー残回数は、番組録画装置１０のみで管理されてもよいが、番組録画装置１０及びスマートフォン２０の両方で管理されていることが好ましい。例えば、番組録画装置１０内のある番組の転送時間が２時間である場合、そのうちの１時間の転送がキャンセルにより行われていないとする。この場合、コピー残回数が番組録画装置１０側だけでなくスマートフォン２０側でも管理されていることで、残りの１時間分の転送を、番組録画装置１０及びスマートフォン２０のいずれからも要求したり、制御したりすることができる。これにより、データ転送制御の自由度を高くすることができる。特に、スマートフォン２０側から残りの録画内容のダビングを要求することができるとユーザにとって便利である。
【０１１５】
以上の説明に関し、更に以下の項を開示する。
（付記１）
転送回数が制限されたコンテンツを記憶する記憶部と、
前記記憶部が記憶したコンテンツを転送する転送部と、
前記転送したコンテンツの転送回数を管理する管理部とを有し、
前記管理部は、
前記記憶部が記憶したコンテンツを複数の部分コンテンツに分割し、前記分割した部分コンテンツの転送に応じて部分コンテンツ毎に前記転送可能な残回数を管理し、
前記転送部は、
前記コンテンツを前記部分コンテンツ毎に転送する、
情報処理装置。
（付記２）
前記転送部は、前記部分コンテンツ毎の転送可能な残回数に応じて、前記コンテンツのうち未転送の部分コンテンツの転送を再開する、
付記１に記載の情報処理装置。
（付記３）
転送回数が制限されたコンテンツを記憶し、
前記記憶したコンテンツを転送し、
前記転送したコンテンツの転送回数を管理する、
処理をコンピュータが実行する情報処理方法であって、
前記管理する処理は、
前記記憶したコンテンツを複数の部分コンテンツに分割し、前記分割した部分コンテンツの転送に応じて部分コンテンツ毎に前記転送可能な残回数を管理する処理を含み、
前記転送する処理は、
前記コンテンツを前記部分コンテンツ毎に転送する処理を含む、
情報処理方法。
（付記４）
前記転送する処理は、
前記部分コンテンツ毎の転送可能な残回数に応じて、前記コンテンツのうち未転送の部分コンテンツの転送を再開する、
付記３に記載の情報処理方法。
（付記５）
転送回数が制限されたコンテンツを記憶し、
前記記憶したコンテンツを転送し、
前記転送したコンテンツの転送回数を管理する、
処理をコンピュータに実行させるためのプログラムであって、
前記管理する処理は、
前記記憶したコンテンツを複数の部分コンテンツに分割し、前記分割した部分コンテンツの転送に応じて部分コンテンツ毎に前記転送可能な残回数を管理する処理を含み、
前記転送する処理は、
前記コンテンツを前記部分コンテンツ毎に転送する処理を含む、
プログラム。
（付記６）
前記転送する処理は、
前記部分コンテンツ毎の転送可能な残回数に応じて、前記コンテンツのうち未転送の部分コンテンツの転送を再開する、
付記５に記載のプログラム。
【符号の説明】
【０１１６】
１：録画システム
１０：番組録画装置
２０：スマートフォン
１１：リモコン入力処理部
１２：テレヒ表示処理部
１３：放送受信部
１４：番組再生部
１５：番組蓄積部
１６：コピー情報管理部
１６ａ，２６ａ：コピー情報ＤＢ
１７：録画データ通信部
２１：録画データ通信部
２２：番組蓄積部
２３：番組再生部
２４：コピー情報管理部
２５：ユーザ入力処理部
２６：映像表示部
２７：音声入出力部
２８：無線部
１６１，２６１：番組ＩＤ
１６２，２６２：開始位置情報
１６３，２６３：終了位置情報
１６４，２６４：再生時間情報
１６５，２６５：コピー残回数
１６６，２６６：コピー先番組ＩＤ
１６７，２６７：中断情報
【図１】
2015230509.tif 000003
【図２】
2015230509.tif 000004
【図３】
2015230509.tif 000005
【図４】
2015230509.tif 000006
【図５】
2015230509.tif 000007
【図６】
2015230509.tif 000008
【図７】
2015230509.tif 000009
【図８】
2015230509.tif 000010
【図９】
2015230509.tif 000011
【図１０】
2015230509.tif 000012
【図１１】
2015230509.tif 000013
【図１２】
2015230509.tif 000014
【図１３】
2015230509.tif 000015
【図１４】
2015230509.tif 000016
【図１５】
2015230509.tif 000017
【図１６】
2015230509.tif 000018
【図１７】
2015230509.tif 000019
【図１８】
2015230509.tif 000020
【図１９】
2015230509.tif 000021
【図２０】
2015230509.tif 000022
【図２１】
2015230509.tif 000023
【図２２】
2015230509.tif 000024